(57)【特許請求の範囲】
【請求項１】
住宅建築用地盤に形成される基礎であって、対向する両側一対の鋼板製型枠パネルと、両型枠パネルを所定間隔に保持する間隔保持手段と、両型枠パネル間内にコンクリートを打設することによってこれら型枠パネル及び間隔保持手段と一体に形成されるコンクリート基礎本体とから構成され、間隔保持手段は、両型枠パネルの内側面の互いに対向する位置に夫々溶接によって突設されたネジスタッドと、両型枠パネルの互いに対向する両ネジスタッドに亘って螺合連結されるネジスリーブとからなり、ネジスタッドは、型枠パネルの高さ方向に所要間隔をおき、長さ方向に所要間隔をおいて配設されることを特徴とする住宅用基礎。
【請求項２】
住宅建築用地盤に形成される基礎であって、対向する両側一対の鋼板製型枠パネルと、両型枠パネルを所定間隔に保持する間隔保持手段と、両型枠パネル間内にコンクリートを打設することによってこれら型枠パネル及び間隔保持手段と一体に形成されるコンクリート基礎本体とから構成され、間隔保持手段は、両型枠パネルの内側面の互いに対向する位置に夫々溶接によって突設されたネジスタッドと、両型枠パネルの互いに対向する両ネジスタッド間に配置されるタイロッドと、前記対向する両ネジスタッドの各ネジスタッドとこれに対向するタイロッドの各端部とに亘って螺合連結されるネジスリーブとからなり、ネジスタッドは、型枠パネルの高さ方向に所要間隔をおき、長さ方向に所要間隔をおいて配設されることを特徴とする住宅用基礎。
【請求項３】
前記型枠パネルは、ステンレス鋼板又は亜鉛メッキ鋼板等の不錆材又は不錆処理材によって形成されていることを特徴とする請求項１又は２に記載の住宅用基礎。
【請求項４】
前記型枠パネルには、その内側面に多数の凸突部が形成されていることを特徴とする請求項１〜３の何れかに記載の住宅用基礎。
【請求項５】
前記型枠パネルには、その内側面に多数の凹窪部が形成されていることを特徴とする請求項１〜３の何れかに記載の住宅用基礎。
【発明の詳細な説明】
【０００１】
本発明は、住宅建築用地盤に形成される基礎に関するもので、特に３階建て以下の低層向け住宅に好適な住宅用基礎に関する。
【０００２】
【従来の技術】
従来、住宅用基礎を構築するには、例えば図９に示すように、住宅建築用地盤の捨てコンクリートＷ上に、合板等の木材、金属材又はプラスチックよって形成された両側一対の型枠１，１をセパレータ２により所定間隔に対向配置し、型枠締付用棒状体３をセパレータ２にネジ止めし、各型枠１，１の外側にバタ材４（型枠パネル支持材）を水平に配し、このバタ材４を当て金５で抱持した状態で、型枠締付用棒状体３の楔孔３ａに楔板６を打ち込み、セパレータ２、型枠締付用棒状体３、当て金５及び楔板６を介して型枠１，１を固定する。その後に両型枠１，１内に、例えば、図示のように両型枠１，１間の全域にかけて相当数の鉄筋７を配置する。それから、型枠１，１間内にコンクリートを打設し、そのコンクリートが硬化するまで養生した後、前記型枠締付用棒状体３をセパレータ２から取り外し、楔板６、当て金５及バタ材４を撤去して型枠１を解体することによって、図示のようなコンクリート基礎８を形成している。
【０００３】
【発明が解決しようとする課題】
上記のようにして形成される従来の住宅用基礎８は、コンクリートのみからなるため、十分な強度を確保するには相当多数の鉄筋７をコンクリート内に配筋する必要があり、そして鉄筋７が輻輳する部位では所定の配筋規定を守ることが困難な場合がある。また、コンクリート及び配筋の品質管理が困難となる。また、コンクリート表面に収縮クラック（品質に影響の無いクラックも含む）が表出することがあり、外観上の体裁も悪く、顧客からクレームがつくことが多い。更に、型枠１の解体及び搬出作業のために工程が長くなって、施工費が高くつき、また運送費が余分に必要となる。
【０００４】
本発明は、上記のような問題点に鑑み、型枠を残してコンクリートとの合成型枠とすることによって、コンクリート中への配筋を省略ないし減少できると共に、型枠の解体及び搬出作業をなくし、収縮クラックを防止でき、更に型枠の取付施工を簡単容易に行える住宅用基礎を提供することを目的とする。
【０００５】
【課題を解決するための手段】
請求項１に係る発明の住宅用基礎は、図３に示すように、住宅建築用地盤に形成される基礎１１であって、対向する両側一対の鋼板製型枠パネル１０，１０と、両型枠パネル１０，１０を所定間隔に保持する間隔保持手段１２と、両型枠パネル１０，１０間内にコンクリートを打設することによってこれら型枠パネル１０，１０及び間隔保持手段１２と一体に形成されるコンクリート基礎本体１３とから構成され、間隔保持手段１２は、両型枠パネル１０，１０の内側面１０ａ，１０ａの互いに対向する位置に夫々溶接によって突設されたネジスタッド１６，１６と、両型枠パネル１０，１０の互いに対向する両ネジスタッド１６，１６に亘って螺合連結されるネジスリーブ１７とからなり、ネジスタッド１６は、型枠パネル１０の高さ方向に所要間隔をおき、長さ方向に所要間隔をおいて配設されることを特徴とする。
【０００６】
請求項２に係る発明の住宅用基礎は、図５に示すように、住宅建築用地盤に形成される基礎２１であって、対向する両側一対の鋼板製型枠パネル１０，１０と、両型枠パネル１０，１０を所定間隔に保持する間隔保持手段２２と、両型枠パネル１０，１０間内にコンクリートを打設することによってこれら型枠パネル１０，１０及び間隔保持手段２２と一体に形成されるコンクリート基礎本体２３とから構成され、間隔保持手段２２は、両型枠パネル１０，１０の内側面１０ａ，１０ａの互いに対向する位置に夫々溶接によって突設されたネジスタッド１６，１６と、両型枠パネル１０，１０の互いに対向する両ネジスタッド１６，１６間に配置されるタイロッド１９と、前記対向する両ネジスタッド１６，１６の各ネジスタッド１６とこれに対向するタイロッド１９の各端部とに亘って螺合連結されるネジスリーブ２０とからなり、ネジスタッド１６は、型枠パネル１０の高さ方向に所要間隔をおき、長さ方向に所要間隔をおいて配設されることを特徴とする。
【０００７】
請求項３は、請求項１又は２に記載の住宅用基礎において、前記型枠パネル１０は、ステンレス鋼板又は亜鉛メッキ鋼板等の不錆材又は不錆処理材によって形成されていることを特徴とする。
【０００８】
請求項４は、請求項１〜３の何れかに記載の住宅用基礎において、前記型枠パネル１０には、その内側面１０ａに多数の凸突部２４が形成されていることを特徴とする。この凸突部２４は、後述する実施形態のように切り起こしによって形成されるのが好ましいが、切り起こしによらない（スリットを形成しない）単なる凸突部でもよい。
【０００９】
請求項５は、請求項１〜３の何れかに記載の住宅用基礎において、前記型枠パネル１０には、その内側面１０ａに多数の凹窪部２５が形成されていることを特徴とする。この凹窪部２５も、後述する実施形態のように切り起こしによって形成されるのが好ましいが、切り起こしによらない（スリットを形成しない）単なる凹窪部でもよい。
【００１０】
【発明の実施の形態】
図１は、本発明に係る住宅用基礎を形成するための骨組み構造を示すもので、この骨組み構造は、高さＨが例えば７５０ｍｍとされ、対向間隔Ｓが例えば２５０ｍｍで並設される両側一対の鋼板製型枠パネル１０，１０と、両型枠パネル１０，１０を上記対向間隔Ｓに保持する間隔保持手段１２とからなるものである。各型枠パネル１０としては、１．０〜２．３ｍｍ程度の厚さを有する高耐候性鋼板、亜鉛メッキ鋼板、アルミメッキ鋼板、ステンレス鋼板等の不錆材又は不錆処理材からなるものである。この不錆材または不錆処理材によれば、型枠パネル１０の変質や腐食を少なくすることができる。
【００１１】
型枠パネル１０には、図示のように、その下端部に外向きに突出する断面コ字状の凸段部１４が形成され、また上端縁には、後述するようにコンクリート基礎本体１３の上端面、特にその隅角部分を被覆する被覆片１５が形成されている。一対の互いに対向する型枠パネル１０，１０は、図３に示すように栗石Ｇの上にコンクリートを捨て打ちした住宅建築用地盤Ｗ上で間隔保持手段１２を介して所定の間隔に対向配置される。尚、型枠パネル１０の下端部には、断面コ字状の凸段部１４に代えて、外方且つ下方へ斜めに延びる傾斜部を形成してもよい。
【００１２】
この間隔保持手段１２は、基礎幅が比較的小さい場合に有効とされるもので、図２の（Ａ）及び（Ｂ）によって示すように、両型枠パネル１０，１０の内側面１０ａ，１０ａの互いに対向する位置に夫々突設されたネジスタッド１６，１６と、両型枠パネル１０，１０の互いに対向する両ネジスタッド１６，１６に亘って螺合連結されるネジスリーブ１７とからなる。ネジスタッド１６は、金属丸棒材の外周面に雄ねじを形成したもので、予め工場において溶接によって型枠パネル１０の内側面１０ａに固着される。ネジスリーブ１７は、金属管材の内周面にネジスタッド１６の雄ねじに螺合可能な雌ねじを形成したものである。
【００１３】
上記間隔保持手段１２のネジスタッド１６は、外径が６〜１２ｍｍ程度、長さが３０〜５０ｍｍ程度とされる。ネジスリーブ１７の長さは、例えば１２０〜２００ｍｍ程度とされるが、必要とする所望の長さに形成するとことができる。図１の骨組み構造の場合を例示すると、両型枠パネル１０，１０の対向間隔Ｓが２５０ｍｍ、各型枠パネル１０の高さＨが７５０であるから、各ネジスタッド１６の長さは例えば４０ｍｍ、ネジスリーブ１７の長さは例えば２００ｍｍとされる。また、ネジスタッド１６は、各型枠パネル１０の内側面１０ａに対して、その高さ方向には例えば４００ｍｍ程度の間隔をおき、また長さ方向に例えば３００ｍｍ程度の間隔をおいて縦横に配設される。
【００１４】
上記のような両側一対の鋼板製型枠パネル１０，１０と間隔保持手段１２とからなる骨組み構造を使用して住宅用基礎を構築するときは、図１に示すように、夫々内側面１０ａに多数の間隔保持手段１２を備えた両側一対の型枠パネル１０，１０を、栗石Ｇの上にコンクリートを捨て打ちしてなる住宅建築用地盤Ｗ上で間隔保持手段１２を介して所定の対向間隔Ｓに対向配置する。
【００１５】
この際、間隔保持手段１２によって両型枠パネル１０，１０を所定の対向間隔Ｓに保持するには、先ず図２の（Ａ）に示すように、各間隔保持手段１２のネジスリーブ１７を一方の型枠パネル１０のネジスタッド１６に対し同図（Ａ）の仮想線図示のように深く螺合しておいて、この一方の型枠パネル１０に他方の型枠パネル１０を接近させた後、上記ネジスリーブ１７を緩める方向に回転させて、当該他方の型枠パネル１０のネジスタッド１６に螺合しながら、両型枠パネル１０，１０の対向間隔Ｓを所定の寸法（例えば２５０ｍｍ）に調整し、同図（Ｂ）に示すような状態とする。
【００１６】
上記のように住宅建築用地盤Ｗ上に両側一対の型枠パネル１０，１０を間隔保持手段１２により所定の対向間隔Ｓに保持して対向配置した後、各型枠パネル１０の下端部をコンクリート釘Ｋによって住宅建築用地盤Ｗに固定する。この後、両型枠パネル１０，１０内には、例えば、上部側、下部側及びその中間部側に鉄筋１８を夫々２〜３本程度ずつ配置する。この場合、鉄筋１８は、図９に示す従来の住宅用基礎に使用される鉄筋７よりも小径のものでよい。また、鉄筋１８は、型枠パネル１０の強度が不足する場合にその強度を補うために使用するものであるから、型枠パネル１０の強度が十分であるときは、使用する必要がない。
【００１７】
こうして住宅建築用地盤Ｗ上に一対の型枠パネル１０，１０と間隔保持手段１２とからなる骨組みを固着した後、図３に示すように、コンクリートＣを打設することによって、これら型枠パネル１０，１０と間隔保持手段１２とに一体的に結合されたコンクリート基礎本体１３が形成される。即ち、コンクリート基礎本体１３が一対の型枠パネル１０，１０と間隔保持手段１２とに一体的に結合されることによって、これらの部材が一種の鉄筋としての作用を発揮し、従来のようにコンクリートＣの内部に鉄筋を組み入れなくとも十分な強度を有することになる。また、各型枠パネル１０には、断面コ字状の凸段部１４乃至傾斜部が形成されているため、安定のよい住宅用基礎とすることができる。
【００１８】
コンクリート基礎本体１３の形成後、図３に示すように、型枠パネル１０下端部の凸段部１４が埋まるような位置まで土砂Ｍを埋戻しすることによって住宅用基礎１１が形成されることになる。
【００１９】
上述した実施形態の住宅用基礎１１に使用される骨組み構造を構成する一対の型枠パネル１０，１０と間隔保持手段１２とは、分解した状態で工場から施工現場へ搬送され、施工現場にて図１のように組み付けられる。即ち、間隔保持手段１２のうち、ネジスタッド１６は工場で各型枠パネル１０の内側面１０ａに溶接により固着されるため、型枠パネル１０と一体となっており、ネジスリーブ１７はネジスタッド１６に対し着脱自在である。従って、各型枠パネル１０はその内側面１０ａにネジスタッド１６を固着した状態で搬送され、間隔保持手段１２は、ネジスリーブ１７がネジスタッド１６と切り離されて、ネジスリーブ１７単独で搬送される。この場合、ネジスタッド１６は、その長さが３０〜５０ｍｍ程度と短いため、型枠パネル１０の搬送に支障を来すようなことがない。また、このネジスタッド１６を現場で型枠パネル１０にいちいち固着する必要がないことを勘案すれば、型枠パネル１０と一体に搬送されることはきわめて有効である。
【００２０】
図４は、本発明に係る他の間隔保持手段２２であって、基礎幅が比較的大きい場合に有効な間隔保持手段を示している。この間隔保持手段２２は、両型枠パネル１０，１０の内側面内側面１０ａ，１０ａの互いに対向する位置に夫々突設されたネジスタッド１６，１６と、両型枠パネル１０，１０の互いに対向する両ネジスタッド１６，１６間に配置されるタイロッド１９と、前記対向する両ネジスタッド１６，１６の各ネジスタッド１６とこれに対向するタイロッド１９の各端部とに亘って螺合連結されるネジスリーブ２０とからなる。
【００２１】
この図４に示す間隔保持手段２２のネジスタッド１６は、図１〜図３に示される間隔保持手段１２のネジスタッド１６と同じもので、予め工場で溶接により型枠パネル１０の内側面１０ａに固着される。タイロッド１９は、間隔保持手段１２のネジスタッド１６と同様に金属丸棒材の外周面に雄ねじを刻設したもので、所望の長さに形成することができる。ネジスリーブ２０は、金属管材の内周面にタイロッド１９の雄ねじに螺合可能な雌ねじを形成したもので、間隔保持手段１２のネジスリーブ１７と同様のものであるが、このネジスリーブ２０は、ネジスタッド１６とタイロッド１９とを連結しさえすればよいから、間隔保持手段１２のネジスリーブ１７より短くてよく、例えば４０〜６０ｍｍ程度でよい。
【００２２】
上記間隔保持手段２２と、一対の鋼板製型枠パネル１０，１０とからなる骨組み構造を使用して、住宅建築用地盤Ｗ上に住宅用基礎を構築するにあたっては、その間隔保持手段２２によって両型枠パネル１０，１０を所定の対向間隔Ｓに保持するには、図４の（Ａ）に示すように、各間隔保持手段２２のネジスリーブ２０を同図の仮想線図示のようにタイロッド１９の両端部に夫々螺合しておいて、そのタイロッド１９を一方の型枠パネル１０の対向するネジスタッド１６に接近させ、このネジスタッド１６にタイロッド１９の一端部側に螺合されている一方のネジスリーブ２０を螺合し、それによって一方のネジスタッド１６とタイロッド１９とを連結した後、他方の型枠パネル１０を上記一方の型枠パネル１０側に近づけて、タイロッド１９の他端側に螺合されている他方のネジスリーブ２０を当該他方の型枠パネル１０の対向するネジスタッド１６に螺合することにより、このネジスタッド１６とタイロッド１９とを連結する。そして、各ネジスリーブ２０の回転操作によって、両型枠パネル１０，１０の対向間隔Ｓを所定の寸法に調整し、同図の（Ｂ）に示すような状態とする。
【００２３】
上記のように住宅建築用地盤Ｗ上に両側一対の型枠パネル１０，１０を間隔保持手段２２により所定の対向間隔Ｓに保持して対向配置した後、各型枠パネル１０の下端部をコンクリート釘Ｋによって住宅建築用地盤Ｗに固定し、しかる後、両型枠パネル１０，１０内の上部側、下部側及びその中間部側に鉄筋１８を夫々複数本程度ずつ配置する。
【００２４】
こうして住宅建築用地盤Ｗ上に一対の型枠パネル１０，１０と間隔保持手段１２とからなる骨組みを固着した後、図５に示すように、コンクリートＣを打設することによって、型枠パネル１０，１０と間隔保持手段２２とに一体的に結合されたコンクリート基礎本体２３が形成される。コンクリート基礎本体２３の形成後、図５に示すように、型枠パネル１０下端部の凸段部１４が埋まるような位置まで土砂Ｍを埋戻しすることによって住宅用基礎２１が形成される。
【００２５】
上記住宅用基礎２１に使用される骨組み構造を構成する一対の型枠パネル１０，１０と間隔保持手段２２とは、分解した状態で工場から施工現場へ搬送され、施工現場において一体的に組み付けられる。即ち、間隔保持手段２２のうち、ネジスタッド１６は各型枠パネル１０の内側面１０ａに溶接により固着されるため、型枠パネル１０と一体となっており、タイロッド１９及びネジスリーブ２０は、互いに切り離し自在であると共に、ネジスタッド１６に対しても着脱自在である。従って、各型枠パネル１０はその内側面１０ａにネジスタッド１６を固着した状態で搬送され、そしてネジスリーブ２０は図４の（Ａ）に仮想線で示すようにタイロッド１９に螺合されて、タイロッド１９と一体で搬送される。このように住宅用基礎２１に使用される型枠パネル１０及び間隔保持手段２２は、適宜に分解できるから、重ねても大きく嵩張るようなことがなく、搬送及び保管上きわめて有利となる。
【００２６】
各型枠パネル１０は平坦面のままでもよいが、できれば各型枠パネル１０の互いの対向面である内側面１０ａ，１０ａには多数の凸突部２４（  図６、図７）又は凹窪部２５（図８）をそれぞれ切り起こしによって形成するのが好ましい。即ち、図６に示すように、型枠パネル１０の内側面に内面側に突出する凸突部２４が切り起こしによって形成され、この切り起こしによって図７に示すように各凸突部２４と型枠パネル１０の内側面１０ａとの間にスリット２４ａが形成される。この場合、スリット２４ａの長さは２０〜３０ｍｍ程度、そのスリット幅（間隙幅）は例えば１ｍｍ程度とされ、また各凸突部２４の深さは２〜３ｍｍ程度とされる。また図６に示すように、各型枠パネル１０には凸突部２４が縦横にそれぞれ複数列状に配設されているが、隣合う縦列の凸突部２４，２４どうし及び隣合う横列の凸突部２４，２４どうしは整列して設けられてもよいが、図示のようにが互い違いになるように配設されることが後述の投錨効果を均一に発揮するうえで好ましい。
【００２７】
図８は、図６及び図７に示す実施形態の凸突部２４とは反対に、型枠パネル１０の内側面１０ａに外面側に窪む凹窪部２５、言い換えればパネル１０の表面から外部側に突出するように露呈する凹窪部２５を形成してなるもので、これによって各凹窪部２５と型枠パネル１０の外側面１０ｂとの間にスリット２５ａが形成された実施形態を示すものである。
【００２８】
上記のように各型枠パネル１０の内側面１０ａに凸突部２４あるいは凹窪部２５が切り起こしにより形成されて、各凸突部２４又は凹窪部２５と型枠パネル１０との間にスリット２４ａ，２５ａが形成されているから、両側一対の型枠パネル１０，１０内に打設された生コンクリートＣは、図７又は図８に示すように、各凸突部２４又は凹窪部２５内に埋め込まれると共に、その一部のコンクリートが各凸突部２４又は凹窪部２５のスリット２４ａ又は２５ａから当該型枠パネル１０の内面側または外面側へ若干食み出した状態で硬化し、これにより大きな投錨効果が発揮され、両型枠パネル１０，１０間に形成されるコンクリート基礎本体１３，２３と強固に結合できて、剥離するおそれがない。
【００２９】
尚、図６および図７の実施形態に示すようにパネル１０の内側面１０ａに内面側に突出する凸突部２４を形成することによって、凸突部２４がコンクリートＣの内部に埋設されるから図８に示す凹窪部２５よりも一層投錨効果を発揮することができ、一方、図８に示すようにパネル１０の内面側に外面側に突出する、即ち内面側から見て凹状に窪む凹窪部２５に形成することによって、コンクリートＣが殆ど外部に露出することがないから外観上の体裁がよい。また、凸突部２４及び凹窪部２５は、上述のように切り起こしによって形成するのが好ましいが、切り起こしによらない、つまりスリットを形成しない単なる凸突部や凹窪部でもよい。
【００３０】
以上のように形成される住宅用基礎１１又は２１は、所定間隔で対向する両側一対の鋼板製型枠パネル１０，１０と、両型枠パネル１０，１０を所定間隔に保持する間隔保持手段１２又は２２と、両型枠パネル１０，１０間内にコンクリートＣを打設することによってこれらの型枠パネル１０，１０と一体に形成されるコンクリート基礎本体１３又は２３との合成構造からなるものであって、両側一対の鋼板製型枠パネル１０，１０更には間隔保持手段１２又は２２によってコンクリート基礎本体１３又は２３の強度が補強されるから、コンクリート中への配筋を省略ないし減少でき、それによって配筋工程の省略ないし短縮が図られ、配筋検査が省略できて品質の安定化が図られると共に、施工期間の短縮と施工費の低減が可能となる。
【００３１】
また、コンクリート基礎本体１３又は２３の両側面が型枠パネル１０，１０によって覆われるから、コンクリート基礎本体１３又は２３の両側面でのひび割れが防止され、美観の向上と表面仕上げの省略が図られる。更に、この住宅用基礎では、型枠パネル１０は、そのままコンクリート基礎本体１３と合体して、コンクリート基礎本体１３との合成構造を形成するものであるから、従来の基礎施工では必須とされていた型枠の解体作業及びその搬出作業が不要となって、施工費の大幅な低減を図ることができる。
【００３２】
更にまた、間隔保持手段１２を両鋼板製型枠パネル１０，１０間に取り付けた状態でコンクリートＣが打設され、コンクリートＣの内部に間隔保持手段１２がコンクリートＣに一体的に埋設されるため、従来のように両型枠パネル１０，１０を外部からその対向間隔を保持するための間隔保持装置を何ら設ける必要がなく、またそれがために間隔保持装置をコンクリートの硬化後に撤去するという作業を必要でないため、この面からも作業効率を上げることができる。しかも、間隔保持手段１２は前述のように一種の鉄筋として補強作用を発揮することができる。
【００３３】
そして、間隔保持手段１２は、両型枠パネル１０，１０の内側面１０ａ，１０ａの互いに対向する位置に夫々突設されたネジスタッド１６，１６と、両型枠パネル１０，１０の互いに対向する両ネジスタッド１６，１６に亘って螺合連結されるネジスリーブ１７とからなるものであって、両型枠パネル１０，１０を所定の対向間隔Ｓに保持するにあたっては、互いに対向する両ネジスタッド１６，１６にネジスリーブ１７を螺合すると共に、このネジスリーブ１７の回転操作によって対向間隔Ｓを調整すればよいから、操作がきわめて簡単で、両型枠パネル１０，１０を所定間隔に迅速容易に組み付けることができ、その作業能率を大幅に向上することができる。特に、この間隔保持手段１２は、基礎幅の比較的小さい住宅用基礎１１に好適である。
【００３４】
また、間隔保持手段２２は、両型枠パネル１０，１０の内側面内側面１０ａ，１０ａの対向位置に突設されたネジスタッド１６，１６と、両型枠パネル１０，１０の対向する両ネジスタッド１６，１６間に配置されるタイロッド１９と、両ネジスタッド１６，１６の各ネジスタッド１６とこれに対向するタイロッド１９の各端部とに亘って螺合連結されるネジスリーブ２０とからなるなるものであって、両型枠パネル１０，１０を所定の対向間隔Ｓに保持する際には、互いに対向する両ネジスタッド１６，１６間にタイロッド１９を介在させて、各ネジスタッド１６とこれに対向するタイロッド１９の各端部とにネジスリーブ２０を螺合すると共に、このネジスリーブ２０の回転操作によって対向間隔Ｓを調整すればよいから、上記間隔保持手段２２と同様に操作がきわめて簡単で、両型枠パネル１０，１０を所定間隔に迅速容易に組み付けることができ、作業能率を大幅に向上することができる。特に、この間隔保持手段２２は、基礎幅の比較的大きい住宅用基礎２１の施工に好適である。
【００３５】
また、上記間隔保持手段１２又は２２は、両鋼板製型枠パネル１０，１０の互いの対向面、即ち内側面１０ａに取り付けられるようになっているため、その取付部分が外部に露呈することがなく、外部からは単に型枠パネル１０，１０のみしか見えないため、外観上の体裁もよい。また、各鋼板製型枠パネル１０は、ステンレス鋼板、亜鉛メッキ鋼板等の不錆材または不錆処理材によって形成されてなるため、長期間使用するも錆びることなく安定して使用することができる。
【００３６】
【発明の効果】
請求項１に係る発明の住宅用基礎によれば、両側一対の鋼板製型枠パネルと、両型枠パネルを所定間隔に保持する間隔保持手段と、両型枠パネル間内にコンクリートを打設することによってこれらパネル及び間隔保持手段と一体に形成されるコンクリート基礎本体とからなる基礎であって、両側の鋼板製型枠パネルによってコンクリート基礎本体の強度が補強されるから、コンクリート中への配筋を省略ないし減少でき、それによって配筋工程の省略ないし短縮が図られ、配筋検査が省略できて品質の安定化を図ると共に、施工期間の短縮と施工費の低減を図ることができる。また、コンクリート基礎本体の両側面が型枠パネルで覆われるため、コンクリート基礎本体の両側面でのひび割れを防止し、美観の向上と表面仕上げの省略を図ることができる。
【００３７】
また、この住宅用基礎にあっては、間隔保持手段が両鋼板製型枠パネル間に取り付けられた状態でコンクリートが打設され、コンクリートの内部にこの間隔保持手段がコンクリートに一体的に埋設されるため、従来のように両型枠パネルを外部からその対向間隔を保持するための間隔保持装置を何ら設ける必要がなく、またそれがために間隔保持装置をコンクリートの硬化後に撤去するという作業を行う必要がないから、この面からも作業効率を上げることができる。しかも、間隔保持手段は一種の鉄筋として補強作用を発揮するため、従来のようにコンクリートの内部に鉄筋を埋設する必要がなくなり、また必要であっても従来よりも格段に少なくて済む。
【００３８】
そして特に、上記間隔保持手段は、両型枠パネルの内側面の対向位置に夫々突設されたネジスタッドと、両型枠パネルの互いに対向する両ネジスタッドに亘って螺合連結されるネジスリーブとからなるものであって、両型枠パネルを所定間隔に保持する際には、互いに対向する両ネジスタッドにネジスリーブを螺合すると共に、このネジスリーブの回転操作によって対向間隔を調整すればよいから、操作がきわめて簡単で、両型枠パネルを所定間隔に迅速容易に組み付けることができ、その作業能率を大幅に向上できる。この間隔保持手段は、基礎幅の比較的小さい住宅用基礎の施工に好適である。また、この間隔保持手段のネジスタッドは、工場で各型枠パネルの内側面に予め固着されて型枠パネルと一体となるが、突出長さを短く形成できるため、型枠パネルを工場に保管する際や施工現場へ搬送する際に支障を来すことがない。
【００３９】
請求項２に係る発明の住宅用基礎によれば、間隔保持手段が、両型枠パネルの内側面の対向位置に夫々突設されたネジスタッドと、互いに対向する両ネジスタッド間に配置されるタイロッドと、各ネジスタッドとこれに対向するタイロッドの各端部とに亘って螺合連結されるネジスリーブとからなるものであって、両型枠パネルを所定間隔に保持する際には、一方の型枠パネルに固着されたネジスタッドとタイロッドの一端部とを一方のネジスリーブで連結し、他方の型枠パネルに固着されたネジスタッドとタイロッドの他端部とを他方のネジスリーブで連結すればよく、また各ネジスリーブの回転操作によって対向間隔を調整できるから、操作が簡単で、両型枠パネルを所定間隔に迅速容易に組み付けることができ、その作業能率を大幅に向上できる。この間隔保持手段は、基礎幅の比較的大きい住宅用基礎の施工に好適である。他の効果については、上記した請求項１の効果と同様である。
【００４０】
請求項３に係る発明の住宅用基礎によれば、鋼板製型枠パネルは、ステンレス鋼板、亜鉛メッキ鋼板等の不錆材または不錆処理材により形成されてなるため、長期間使用するも錆びることが少なく長期間安定して使用することができる。
【００４１】
請求項４係る発明の住宅用基礎によれば、型枠パネルには、その内側面に突出する多数の凸突部が形成されているため、この凸突部がコンクリートの内部に埋設されることになって、投錨効果が発揮され、両型枠パネル間に形成されるコンクリート基礎本体と強固に結合できて、型枠パネルが剥離するおそれがない。
【００４２】
請求項５係る発明の住宅用基礎によれば、型枠パネルには、その内側面に多数の凹窪部が形成されているため、生コンクリートが各凹窪部内に埋め込まれることになって、投錨効果が発揮され、両型枠パネル間に形成されるコンクリート基礎本体と強固に結合できて、型枠パネルが剥離するおそれがない。
【図面の簡単な説明】
【図１】本発明に係る住宅用基礎の枠組み構造の一実施形態を示す斜視図である。
【図２】  （Ａ）は同枠組み構造における間隔保持手段を分解した状態で示す側面図、（Ｂ）は同間隔保持手段の使用状態での側面図である。
【図３】同住宅用基礎の縦断側面図である。
【図４】（Ａ）は本発明に係る住宅用基礎の他の実施形態における間隔保持手段を分解した状態で示す正面図、（Ｂ）は同間隔保持手段の使用状態での正面図である。
【図５】  同住宅用基礎の縦断側面図である。
【図６】  本発明に係る住宅用基礎の他の実施形態の斜視図である。
【図７】  同住宅用基礎の要部の拡大縦断側面図である。
【図８】  同要部の他の実施形態の拡大縦断側面図である。
【図９】  従来の住宅用基礎の縦断側面図である。
【符号の説明】
Ｗ                  住宅建築用地盤
１０                鋼板製型枠パネル
１１                住宅用基礎
１２，２２          間隔保持手段
１３                コンクリート基礎本体
１６                ネジスタッド
１７                ネジスリーブ
１９                タイロッド
２０                ネジスリーブ
２１                住宅用基礎
２４                凸突部
２５                凹窪部
【図１】
0003649663.tif 000002
【図２】
0003649663.tif 000003
【図３】
0003649663.tif 000004
【図４】
0003649663.tif 000005
【図５】
0003649663.tif 000006
【図６】
0003649663.tif 000007
【図７】
0003649663.tif 000008
【図８】
0003649663.tif 000009
【図９】
0003649663.tif 000010